(57)【特許請求の範囲】
【請求項１】
両先端部（２ａ），（３ａ）に咬合部（４），（５）を対向させた一対の顎状部（２），（３）の基部（２ｂ），（３ｂ）を要部（１）に連結し、その要部（１）に前記顎状部（２），（３）を閉方向に付勢する付勢手段（６）を設け、その付勢に抗して前記顎状部（２），（３）を開く押圧部（７），（８）を、前記両顎状部（２），（３）の外側に間隔を設けて重ねるように且つ前記両顎状部（２），（３）間の空間を避け且つ前記要部（１）側を経てそれぞれ遠方側の顎状部（２），（３）に対して連結固定して成り、前記押圧部（７），（８）を外側から押圧すると前記咬合部（４），（５）が前記付勢手段（６）に抗して開き、その押圧を解除すると前記咬合部（４），（５）が前記付勢手段（６）によって加圧状態で咬むように閉じられることを特徴るとするクリップ。
【請求項２】
付勢手段（６）がコイルバネであり、全体が一本の鋼製の線材から成る請求項１に記載のクリップ。
【請求項３】
付勢手段（６）が板バネであり、全体が一本の鋼製の板材から成る請求項１に記載のクリップ。
【発明の詳細な説明】
【０００１】
【発明が属する技術分野】
本発明は、紙、布、シートなどの物を重ねるなどして挟み付けるクリップに関する。
【０００２】
【従来の技術】
これまで、各種のクリップが重ねた書類や袋口などを挟み付けたりして使用されている。
そのクリップの代表的な構造としては、渦巻き線式クリップ、洗濯挟み式クリップ及び板バネによる力点部折畳み式クリップがある。
【０００３】
その内の渦巻き線式クリップ（一般にはゼムクリップと呼ばれている）は、平面上に鋼線を渦巻きに形成した極めて軽く簡単な構造をしている。このため大量生産にも適し低価格で実際に大量に提供されている。
このクリップは、綴じる紙などが数枚で薄い場合には巧く綴じられるが、枚数が多く、また厚い状態になったものについては、綴じようとクリップを差込んでもすぐに被着物から弾き出て外れてしまい、巧く綴じて止めておくことができない欠点がある。
【０００４】
また、前記洗濯挟み式クリップについては、図６に示すように、枢支点Ｂを挟んで反対側に綴じるための作用点Ａとその作用点Ａを広げるために押圧する力点Ｃがあるので、綴じた書類Ｐの外にその力点Ｃ部分が、長さＬ分だけ大きく出っ張ってしまうことになる。このために書類のサイズ（Ａ４サイズなど）に合せて作られた入物（鞄、封筒、机の引出し等）には綴じたままではつっかえてしまい、うまく入らない欠点がある。
また、書類の整理をするにしてもに、その出っ張り部分（力点Ｃ部分）が邪魔になり、書類を整えるのがやりにくい難点がある。
【０００５】
さらに、板バネによる力点折畳み式クリップについては、鋼製板を両端辺の咬み合わせ部分が閉じる方向に押圧付勢状態に折曲部分を膨らませて二つに折畳み、鋼製の二つ折した鋼製板の二倍程度の長さとなるコ字型の線材の先端を前記咬み合わせ部分に擺動可能に連結してあり、使用する時には、その両側のコ字型の線材の屈曲側を前記二つ折りの鋼製板の膨らませ部分に当ててそこを支点に押圧し、咬み合わせ部分を押し開くようになっている。
口そして、書類などを綴じたら書類などの外側に突出している前記コ字型の線材を、咬み合わせ部分側に（書類の縁内に）移動させる。
このクリップは、このようにできるために、上記洗濯挟み式クリップのような力点部分が出っ張ることによる欠点は解消されている。
しかし、三部品を組み付けたものであるため構造が複雑となり、低コストで供給することができない難点がある。
【０００６】
【発明が解決しようとする課題】
本発明は、上記の実情に鑑みてなされたもので、綴じたときに書類などの外側に大きく出っ張ることがないようにすることによって、鞄、机の引出し、箱、袋、封筒などに入れやすくしたコンパクトなクリップを提供するものである。
【０００７】
【課題を解決するための手段】
上記課題を解決するために、本発明は、両先端部２ａ，３ａに咬合部４，５を対向させた一対の顎状部２，３の基部２ｂ，３ｂを要部１に連結し、その要部１に前記顎状部２，３を閉方向に付勢する付勢手段６を設け、その付勢に抗して前記顎状部２，３を開く押圧部７，８を、前記両顎状部２，３の外側に間隔を設けて重ねるように且つ前記両顎状部２，３間の空間を避け且つ前記要部１側を経てそれぞれ遠方側の顎状部２，３に対して連結固定して成り、前記押圧部７，８を外側から押圧すると前記咬合部４，５が前記付勢手段６に抗して開き、その押圧を解除すると前記咬合部４，５が前記付勢手段６によって加圧状態で咬むように閉じられることを特徴るとするクリップである。
【０００８】
また、上記構成において、前記付勢手段６がコイルバネであり、全体が一本の鋼製の線材から成るものである。
【０００９】
さらに、上記構成において、前記付勢手段６が板バネであり、全体が一本の鋼製の板材から成るものである。
【００１０】
【発明の実施の形態】
本発明の実施の形態を以下図で詳しく説明する。
本発明のクリップを、全体が一本の鋼製の線材を曲げて作られたクリップを示す図１で説明すると、両先端部２ａ，３ａに咬合部４，５を対向させた一対の顎状部２，３の基部２ｂ，３ｂをコイルバネ６ａに形成した要部１に連結する。
そのコイルバネル６ａの付勢方向は、前記顎状部２，３を閉方向にして、前記咬合部４，５が締められるように押圧させる。
また、そのコイルバネル６ａの付勢に抗して前記顎状部２，３を開く押圧部７，８を、前記両顎状部２，３の外側に間隔を設けて重ねるように且つ前記両顎状部２，３間の空間を避け且つ前記要部１側を経てそれぞれ遠方側の顎状部２，３に対して連結固定する。
【００１１】
即ち、図２に示すように、前記両押圧部７，８を両顎状部２，３の両外側から押圧すると、前記咬合部４，５が前記付勢手段６に抗して開き（図２の（ロ）に示す）、その押圧を解除すると、前記咬合部４，５が前記付勢手段６によって加圧状態で咬むように閉じられる（図２の（イ）に示す）。
【００１２】
この図１に示す形態においては、その付勢手段６はコイルバネ６ａの場合であり、且つ全体が一本の鋼製の線材から成るものであるが、これとは別に、図４に示すように、全体を一枚の鋼製の板材で作り、付勢手段６としては要部１に一定幅の板バネ６ｂを形成し、両押圧部７，８をその鋼材の中間を切込んで咬合部４，５の外側に開くように形成する形態が可能である。
【００１３】
また、図３に示すように、要部１に横の枢支孔を形成し、その要部１を中心に両端を鋭角に折り曲げた２枚の板を、その屈曲させた枢支孔に枢支軸を差込んで重ね合せる。そして、その枢支軸にコイルバネル６ａを前記顎状部２，３が閉方向になるように付勢させ、前記咬合部４，５が締められるように押圧させる態様ができる。
【００１４】
さらに、図５に示すように、鋼製の板材から成るバネ板を要部１で幅を持たせて屈曲してその両側に顎状部２，３を形成し、押圧部７，８に鋼線材を用いて、その押圧部７，８の基端部を、顎状部２，３の両先端部２ａ，３ａに形成した咬合部４，５に固定し、前記押圧部７，８の先端部を要部１の位置で他方側に屈曲させて前記咬合部４，５の外側に開くように形成する形態が可能である。
【００１５】
【発明の効果】
本発明は以上のようで、押圧部７，８を咬合部４，５の外側から押圧すると、前記咬合部４，５が付勢手段６に抗して開き、その押圧を解除すると、前記咬合部４，５が前記付勢手段６によって、加圧状態で咬むように閉じられる。
つまり、前記押圧部７，８を押圧して開いた前記咬合部４，５に、重ね合わせた書類などをその縁部分を差込み、そのまま手を離すと、図２の（ロ）に示すように、書類の縁部分が前記咬合部４，５に咬まれるように綴じられる。
【００１６】
その綴じられた状態では、その図２の（ロ）に示すように、書類などの辺縁部分から要部１が長さＷ分だけ多少食み出しはするが、これまでのように、その外側に押圧部が大きく出っ張る（図６に示すように長さＬ分大きく出っ張る）ようなことはない。
このため、本発明は鞄、机の引出し、箱、袋、封筒などに入れやすい利点がある。
また、不使用のときに、物入れなどにたくさん入れておくのに、あまり嵩ばらないことも利点である。
【図面の簡単な説明】
【図１】本発明の線材を使用した形態の斜視図。
【図２】（イ）が咬合部が閉じている状態を、（ロ）が咬合部が開いている状態を示す斜視図。
【図３】板材を使用した形態の斜視図。
【図４】別の板材を使用した別の形態の斜視図。
【図５】顎状部に板材を使用した別の形態の斜視図。
【図６】従来のクリップの斜視図。
【符号の説明】
１    要部
２    顎部
２ａ  顎部の先端部
２ｂ  顎部の基部
３    顎部
３ａ  顎部の先端部
３ｂ  顎部の基部
４    咬合部
５    咬合部
６    付勢手段
６ａ  コイルバネ
６ｂ  板バネ
７    押圧部
８    押圧部
【図１】
0004112753.tif 000002
【図５】
0004112753.tif 000003
【図２】
0004112753.tif 000004
【図３】
0004112753.tif 000005
【図４】
0004112753.tif 000006
【図６】
0004112753.tif 000007